(57)【要約】【課題】  長期に亘ってほぼ完全に非稼働となる装置を生まないことにより、非常稼働時における正常稼働を高い確率で期待できる信頼性の高い低コストな空気調和システムの提供。【解決手段】  熱媒体が循環する循環幹路と、前記熱媒体と外気との熱交換を行う冷房ユニットと、熱源ユニットと、複数の蓄放熱ユニットと、前記熱源ユニット及び各蓄放熱ユニットの動作を制御する運転管理手段とから構成され、前記運転管理手段が、前記通常冷房モードにおいて放冷運転が行われた前記熱源ユニットの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、当該予備蓄放熱ユニットを除く前記蓄放熱ユニットの前記蓄放熱回路をそれらの蓄放熱ユニットの氷蓄熱槽へ前記循環ポンプにより通常量流通させる非常冷房モードの制御を行う空気調和システム。【選択図】      図１
2006010168.tif 000002
【特許請求の範囲】
【請求項１】
熱媒体が循環する循環幹路と、
当該循環幹路に並列に介在し前記熱媒体と外気との熱交換を行う冷房ユニットと、
当該循環幹路に並列に介在する熱源ユニットと、
当該循環幹路に並列に介在する複数の蓄放熱ユニットと、
前記熱源ユニット及び各蓄放熱ユニットの動作を制御する運転管理手段と、
から構成され、
前記熱源ユニットが、
前記循環幹路を循環する熱媒体が流通する放冷回路と、
当該放冷回路へ熱媒体を流通させる循環ポンプと、
前記放冷回路に介在し電力を用いて前記熱媒体を冷房温度とする放冷運転を行う熱源機と、
を具備し、
前記各蓄放熱ユニットが、
前記循環幹路を循環する熱媒体が流通する蓄放熱回路と、
当該蓄放熱回路へ熱媒体を流通させる循環ポンプと、
前記蓄放熱回路に介在し前記熱媒体と氷結材との熱交換を行う氷蓄熱槽と、
前記蓄放熱回路に介在し電力を用いて前記熱媒体を製氷温度とする製氷運転及び電力を用いて前記熱媒体を冷房温度とする放冷運転を行う熱源機と、
を具備し、
前記運転管理手段が、
少なくとも一つの蓄放熱ユニットの前記熱源機に前記製氷運転を行わせると共に、当該蓄放熱ユニットの前記蓄放熱回路を当該蓄放熱ユニットの氷蓄熱槽へ前記循環ポンプにより通常量流通させる通常製氷モード、
前記熱源ユニットの前記熱源機に前記放冷運転を行わせると共に、前記蓄放熱ユニットの前記熱源機を停止させ、当該蓄放熱ユニットの前記蓄放熱回路を当該蓄放熱ユニットの氷蓄熱槽へ前記循環ポンプにより通常量流通させる通常冷房モード、
及び
前記通常冷房モードにおいて放冷運転が行われた前記熱源ユニットの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、当該予備蓄放熱ユニットを除く前記蓄放熱ユニットの前記蓄放熱回路をそれらの蓄放熱ユニットの氷蓄熱槽へ前記循環ポンプにより通常量流通させる非常冷房モード、
の制御を行う空気調和システム。
【請求項２】
前記運転管理手段が、
前記通常冷房モードにおいて放冷運転が行われた前記熱源ユニットの故障停止を受けて、前記蓄放熱ユニットのうちの予備蓄放熱ユニットの前記熱源機に初動運転を行わせると共に、当該予備蓄放熱ユニット及び当該予備蓄放熱ユニットを除く蓄放熱ユニットの前記蓄放熱回路をそれらの蓄放熱ユニットの氷蓄熱槽へ前記循環ポンプにより増量流通させる非常冷房過渡モード、
の制御を行う前記請求項１に記載の空気調和システム。
【請求項３】
熱媒体が循環する循環幹路と、
当該循環幹路に並列に介在し前記熱媒体と外気との熱交換を行う冷房ユニットと、
当該循環幹路に並列に介在する熱源ユニットと、
当該循環幹路に並列に介在する複数の蓄放熱ユニットと、
前記熱源ユニット及び各蓄放熱ユニットの動作を制御する運転管理手段と、
から構成され、
前記熱源ユニットが、
前記循環幹路を循環する熱媒体が流通する放冷回路と、
当該放冷回路へ熱媒体を流通させる循環ポンプと、
前記放冷回路に介在し電力を用いて前記熱媒体を冷房温度とする放冷運転を行う熱源機と、
を具備し、
前記各蓄放熱ユニットが、
前記循環幹路を循環する熱媒体が流通する蓄放熱回路と、
当該蓄放熱回路へ熱媒体を流通させる循環ポンプと、
前記蓄放熱回路に介在し前記熱媒体と氷結材との熱交換を行う氷蓄熱槽と、
前記蓄放熱回路に介在し電力を用いて前記熱媒体を製氷温度とする製氷運転及び電力を用いて前記熱媒体を冷房温度とする放冷運転を行う熱源機と、
を具備し、
前記運転管理手段が、
少なくとも一つの蓄放熱ユニットの前記熱源機に前記製氷運転を行わせると共に、当該蓄放熱ユニットの前記蓄放熱回路を当該蓄放熱ユニットの氷蓄熱槽へ前記循環ポンプにより通常量流通させる通常製氷モード、
前記熱源ユニットの前記熱源機に前記放冷運転を行わせると共に、前記蓄放熱ユニットの前記熱源機を停止させ、当該蓄放熱ユニットの前記蓄放熱回路を当該蓄放熱ユニットの氷蓄熱槽へ前記循環ポンプにより通常量流通させる通常冷房モード、
及び
前記蓄放熱ユニットのいずれかの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、前記熱源ユニットの前記熱源機に前記放冷運転を行わせる非常冷房モード、
の制御を行う空気調和システム。
【請求項４】
前記運転管理手段が、
前記蓄放熱ユニットのいずれかの故障停止を受けて、他の蓄放熱ユニットのうちの予備蓄放熱ユニットの前記熱源機に初動運転を行わせると共に、当該予備蓄放熱ユニットの前記蓄放熱回路を当該予備蓄放熱ユニットの氷蓄熱槽へ前記循環ポンプにより増量流通させ、前記熱源ユニットの前記熱源機に前記放冷運転を行わせる非常冷房過渡モード、の制御を行う前記請求項３に記載の空気調和システム。
【請求項５】
熱媒体が循環する循環幹路と、
当該循環幹路に並列に介在し前記熱媒体と外気との熱交換を行う冷房ユニットと、
当該循環幹路に並列に介在する複数の蓄放熱ユニットと、
前記各蓄放熱ユニットの動作を制御する運転管理手段と、
から構成され、
前記各蓄放熱ユニットが、
前記循環幹路を循環する熱媒体が流通する蓄放熱回路と、
当該蓄放熱回路へ熱媒体を流通させる循環ポンプと、
前記蓄放熱回路に介在し前記熱媒体と氷結材との熱交換を行う氷蓄熱槽と、
前記蓄放熱回路に介在し電力を用いて前記熱媒体を製氷温度とする製氷運転及び電力を用いて前記熱媒体を冷房温度とする放冷運転を行う熱源機と、
を具備し、
前記運転管理手段が、
少なくとも一つの蓄放熱ユニットの前記熱源機に前記製氷運転を行わせると共に、当該蓄放熱ユニットの前記蓄放熱回路を当該蓄放熱ユニットの氷蓄熱槽へ前記循環ポンプにより通常量流通させる通常製氷モード、
少なくとも一つの蓄放熱ユニットの前記熱源機に前記放冷運転を行わせると共に、他の蓄放熱ユニットの前記熱源機を停止させ、当該他の蓄放熱ユニットの前記蓄放熱回路を当該蓄放熱ユニットの氷蓄熱槽へ前記循環ポンプにより通常量流通させる通常冷房モード、
及び
前記通常冷房モードにおいて放冷運転が行われた蓄放熱ユニットの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、当該予備蓄放熱ユニットを除く前記他の蓄放熱ユニットの前記蓄放熱回路をそれらの蓄放熱ユニットの氷蓄熱槽へ前記循環ポンプにより通常量流通させる非常冷房モード、
の制御を行う空気調和システム。
【請求項６】
前記運転管理手段が、
前記通常冷房モードにおいて放冷運転が行われた蓄放熱ユニットの故障停止を受けて、前記他の蓄放熱ユニットのうちの故障停止していない予備蓄放熱ユニットの前記熱源機に初動運転を行わせると共に、当該予備蓄放熱ユニットを含む故障停止していない前記他の蓄放熱ユニットの前記蓄放熱回路をそれらの蓄放熱ユニットの氷蓄熱槽へ前記循環ポンプにより増量流通させる非常冷房過渡モード、
の制御を行う前記請求項５に記載の空気調和システム。
【請求項７】
熱媒体が循環する循環幹路と、
当該循環幹路に並列に介在し前記熱媒体と外気との熱交換を行う冷房ユニットと、
当該循環幹路に並列に介在する複数の蓄放熱ユニットと、
前記各蓄放熱ユニットの動作を制御する運転管理手段と、
から構成され、
前記各蓄放熱ユニットが、
前記循環幹路を循環する熱媒体が流通する蓄放熱回路と、
当該蓄放熱回路へ熱媒体を流通させる循環ポンプと、
前記蓄放熱回路に介在し前記熱媒体と氷結材との熱交換を行う氷蓄熱槽と、
前記蓄放熱回路に介在し電力を用いて前記熱媒体を製氷温度とする製氷運転及び電力を用いて前記熱媒体を冷房温度とする放冷運転を行う熱源機と、
を具備し、
前記運転管理手段が、
少なくとも一つの蓄放熱ユニットの前記熱源機に前記製氷運転を行わせると共に、当該蓄放熱ユニットの前記蓄放熱回路を当該蓄放熱ユニットの氷蓄熱槽へ前記循環ポンプにより通常量流通させる通常製氷モード、
少なくとも一つの蓄放熱ユニットの前記熱源機に前記放冷運転を行わせると共に、他の蓄放熱ユニットの前記熱源機を停止させ、当該他の蓄放熱ユニットの前記蓄放熱回路を当該蓄放熱ユニットの氷蓄熱槽へ前記循環ポンプにより通常量流通させる通常冷房モード、
及び
前記他の蓄放熱ユニットのうちのいずれかの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、当該予備蓄放熱ユニットを除く前記他の蓄放熱ユニットの前記蓄放熱回路をそれらの蓄放熱ユニットの氷蓄熱槽へ前記循環ポンプにより通常量流通させる非常冷房モード、
の制御を行う空気調和システム。
【請求項８】
前記運転管理手段が、
前記他の蓄放熱ユニットのうちのいずれかの故障停止を受けて、前記他の蓄放熱ユニットのうちの故障停止していない予備蓄放熱ユニットの前記熱源機に初動運転を行わせると共に、当該予備蓄放熱ユニットを含む故障停止していない前記他の蓄放熱ユニットの前記蓄放熱回路をそれらの蓄放熱ユニットの氷蓄熱槽へ前記循環ポンプにより増量流通させる非常冷房過渡モード、
の制御を行う前記請求項７に記載の空気調和システム。
【請求項９】
前記循環幹路（１）と各蓄放熱回路（１５）とを分離し、相互に熱交換を行う為の熱交換機（２９）を介在した前記請求項１乃至請求項８のいずれかに記載の空気調和システム。
【発明の詳細な説明】
【技術分野】
【０００１】
本発明は、氷蓄熱槽を備え蓄熱及び放熱の制御が行われる空気調和システムの制御手法に関する。
【背景技術】
【０００２】
従来、氷蓄熱槽を備えた空気調和システムは、例えば、蒸発器により冷媒を蒸発気化させてブラインを冷却する冷凍機と、氷蓄熱槽と、冷凍機の蒸発器と氷蓄熱槽との間にブラインを循環させるためのブライン循環路と、空調機に冷却水を供給する冷房用の熱交換器と、ブライン循環路に接続され、このブライン循環路の全部又は一部と熱交換器との間にブラインが流れるようにしたブライン接続路と、冷凍機に対して氷蓄熱槽又は冷房用熱交換器を選択的に切換え可能に接続するとともに、冷凍機と冷房用熱交換器と氷蓄熱装置とをシリーズに接続するように配置された流路切換手段を具備した氷蓄熱装置を具備したものが紹介されている（例えば、下記特許文献参照）。
【０００３】
【特許文献１】特開２００３−２１３６５号公報
【特許文献２】特開２０００−２４９３７４号公報
【特許文献３】特開２００３−３１４８６２号公報
【０００４】
前記従来の氷蓄熱槽を備えた空気調和装置は、故障や異常気象時に備えるべく、一般的には予備機を含む複数機の空気調和装置をもって空気調和システムが構成されている。インバーターターボ冷凍機を用いれば、システム全体の出力変動を補足して氷蓄熱システムの安定放熱を可能とすると同時に、冬季などの低温外気を利用して従来得られなかった程の効率の向上が期待でき、今日では、最高効率がＣＯＰ（成績係数）で１０を超えることが期待できるインバーターターボ冷凍機と、高効率で夜間に蓄熱を行い安定して出力を行うことの出来る氷蓄熱システムを組み合わせた空気調和システムも紹介されている。
【０００５】
尚、今日の前記氷蓄熱システムは、昼に較べて低温となる夜間の外気環境で定格運転を行うことにより、年間を通して安定した高効率蓄熱が期待できると同時に、放熱量を一時的に増加したり、運転モードを変更したりして、システム全体の安定を損なうこと無く、大幅な出力増加を達成するなど、柔軟な対応を行う機能を備えている。
【発明の開示】
【発明が解決しようとする課題】
【０００６】
しかしながら、従来の空気調和システムは、常用機と予備機の役割をハッキリ割り当てた制御が成されていたことから、常用の蓄熱用ターボ冷凍機が年中運転されるのとは逆に、殆ど運転されることのない予備機について、長期に亘ってほぼ完全に非稼働となる結果生じる非常稼働時の不調の有無を予見することは極めて困難であり、非常稼働時において正常稼働する保証は得られなかった。また、その様な予備機の存在は、コスト的にも無駄であり、設備コストの増大を招来することにもなっていた。
【０００７】
本発明は上記実情に鑑みて成されたものであって、長期に亘ってほぼ完全に非稼働となる装置を生まないことにより、非常稼働時における正常稼働を高い確率で期待できる信頼性の高い低コストな空気調和システムの提供を目的とする。
【課題を解決するための手段】
【０００８】
上記課題を解決する為に成された本発明による空気調和システムは、熱媒体が循環する循環幹路と、当該循環幹路に並列に介在し前記熱媒体と外気との熱交換を行う冷房ユニットと、当該循環幹路に並列に介在する熱源ユニットと、当該循環幹路に並列に介在する複数の蓄放熱ユニットと、前記熱源ユニット及び各蓄放熱ユニットの動作を制御する運転管理手段と、から構成され、前記熱源ユニットが、前記循環幹路を循環する熱媒体が流通する放冷回路と、当該放冷回路へ熱媒体を流通させる循環ポンプと、前記放冷回路に介在し電力を用いて前記熱媒体を冷房温度とする放冷運転を行う熱源機と、
を具備し、前記各蓄放熱ユニットが、前記循環幹路を循環する熱媒体が流通する蓄放熱回路と、当該蓄放熱回路へ熱媒体を流通させる循環ポンプと、前記蓄放熱回路に介在し前記熱媒体と氷結材との熱交換を行う氷蓄熱槽と、前記蓄放熱回路に介在し電力を用いて前記熱媒体を製氷温度とする製氷運転及び電力を用いて前記熱媒体を冷房温度とする放冷運転を行う熱源機とを具備したものである。
【０００９】
そして、その特徴とするところは、前記運転管理手段が、少なくとも一つの蓄放熱ユニットの前記熱源機に前記製氷運転を行わせると共に、当該蓄放熱ユニットの前記蓄放熱回路を当該蓄放熱ユニットの氷蓄熱槽へ前記循環ポンプにより通常量流通させる通常製氷モード、前記熱源ユニットの前記熱源機に前記放冷運転を行わせると共に、前記蓄放熱ユニットの前記熱源機を停止させ、当該蓄放熱ユニットの前記蓄放熱回路を当該蓄放熱ユニットの氷蓄熱槽へ前記循環ポンプにより通常量流通させる通常冷房モード、及び前記通常冷房モードにおいて放冷運転が行われた前記熱源ユニットの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、当該予備蓄放熱ユニットを除く前記蓄放熱ユニットの前記蓄放熱回路をそれらの蓄放熱ユニットの氷蓄熱槽へ前記循環ポンプにより通常量流通させる非常冷房モードの制御を行う点にある。
【００１０】
更に、前記運転管理手段が、前記通常冷房モードにおいて放冷運転が行われた前記熱源ユニットの故障停止を受けて、前記蓄放熱ユニットのうちの予備蓄放熱ユニットの前記熱源機に初動運転を行わせると共に、当該予備蓄放熱ユニット及び当該予備蓄放熱ユニットを除く蓄放熱ユニットの前記蓄放熱回路をそれらの蓄放熱ユニットの氷蓄熱槽へ前記循環ポンプにより増量流通させる非常冷房過渡モードの制御を加えて行う空気調和システムとすることも出来る。
【００１１】
また、上記非常冷房モード及び非常冷房過渡モードの制御に替えて、若しくは更に加えて、前記蓄放熱ユニットのいずれかの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、前記熱源ユニットの前記熱源機に前記放冷運転を行わせる非常冷房モードの制御を行う空気調和システムとすることも出来、更に、前記蓄放熱ユニットのいずれかの故障停止を受けて、他の蓄放熱ユニットのうちの予備蓄放熱ユニットの前記熱源機に初動運転を行わせると共に、当該予備蓄放熱ユニットの前記蓄放熱回路を当該予備蓄放熱ユニットの氷蓄熱槽へ前記循環ポンプにより増量流通させ、前記熱源ユニットの前記熱源機に前記放冷運転を行わせる非常冷房過渡モードの制御を加えて行う空気調和システムとすることも出来る。
【００１２】
上記構成とは異なり、熱媒体が循環する循環幹路と、当該循環幹路に並列に介在し前記熱媒体と外気との熱交換を行う冷房ユニットと、当該循環幹路に並列に介在する複数の蓄放熱ユニットと、前記各蓄放熱ユニットの動作を制御する運転管理手段と、からなる構成とする事も可能である。
【００１３】
その際、前記運転管理手段が、少なくとも一つの蓄放熱ユニットの前記熱源機に前記製氷運転を行わせると共に、当該蓄放熱ユニットの前記蓄放熱回路を当該蓄放熱ユニットの氷蓄熱槽へ前記循環ポンプにより通常量流通させる通常製氷モード、少なくとも一つの蓄放熱ユニットの前記熱源機に前記放冷運転を行わせると共に、他の蓄放熱ユニットの前記熱源機を停止させ、当該他の蓄放熱ユニットの前記蓄放熱回路を当該蓄放熱ユニットの氷蓄熱槽へ前記循環ポンプにより通常量流通させる通常冷房モード、及び前記通常冷房モードにおいて放冷運転が行われた蓄放熱ユニットの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、当該予備蓄放熱ユニットを除く前記他の蓄放熱ユニットの前記蓄放熱回路をそれらの蓄放熱ユニットの氷蓄熱槽へ前記循環ポンプにより通常量流通させる非常冷房モードの制御を行う空気調和システムとする事も出来る。
【００１４】
更に、前記運転管理手段が、前記通常冷房モードにおいて放冷運転が行われた蓄放熱ユニットの故障停止を受けて、前記他の蓄放熱ユニットのうちの故障停止していない予備蓄放熱ユニットの前記熱源機に初動運転を行わせると共に、当該予備蓄放熱ユニットを含む故障停止していない前記他の蓄放熱ユニットの前記蓄放熱回路をそれらの蓄放熱ユニットの氷蓄熱槽へ前記循環ポンプにより増量流通させる非常冷房過渡モードの制御を加えて行う空気調和システムとすることも出来る。
【００１５】
また、上記非常冷房モード及び非常冷房過渡モードの制御に替えて、若しくは更に加えて、前記運転管理手段が、前記他の蓄放熱ユニットのうちのいずれかの故障停止、並びに前記予備蓄放熱ユニットの前記熱源機の放冷運転準備完了を受けて、前記予備蓄放熱ユニットの前記氷蓄熱槽への前記蓄放熱回路の流通を遮断すると共に、当該予備蓄放熱ユニットを除く前記他の蓄放熱ユニットの前記蓄放熱回路をそれらの蓄放熱ユニットの氷蓄熱槽へ前記循環ポンプにより通常量流通させる非常冷房モードの制御を行う空気調和システムとすることも出来る。
【００１６】
更に、前記運転管理手段が、前記他の蓄放熱ユニットのうちのいずれかの故障停止を受けて、前記他の蓄放熱ユニットのうちの故障停止していない予備蓄放熱ユニット（他の蓄放熱ユニット全ての場合もある）の前記熱源機に初動運転を行わせると共に、当該予備蓄放熱ユニットを含む故障停止していない前記他の蓄放熱ユニットの前記蓄放熱回路をそれらの蓄放熱ユニットの氷蓄熱槽へ前記循環ポンプにより増量流通させる非常冷房過渡モードの制御を加えて行う空気調和システムとすることも出来る。尚、熱媒体とは、冷却システムに用いる塩化カルシウム水溶液等の不凍液や真水等の液体であって、蒸発器表面との接触等で冷却され、冷却すべき場所へ循環されるものである。当該熱媒体の用い方に応じて、上記いずれの解決手段を採用する場合にあっても、前記循環幹路と各蓄放熱回路とを分離し、相互に熱交換を行う為の熱交換機を介在した空気調和システムとすることができる。
【発明の効果】
【００１７】
本発明による空気調和システムによれば、従来の空気調和システムの様に、常用機と予備機といった役割分担は、多少は残るものの、システムを形作る複数のユニット、及びそれらの構成要素が、運転管理手段の制御によって常に何らかの形で稼働させられており、殆どはお飾りであってコスト的にも無駄な従来の予備機は存在しないこととなる。更に、専用の熱源ユニットを置かず、放冷運転と製氷運転を兼ねる複数の蓄放熱ユニットと冷房ユニットのみで構成し、前記運転管理手段の行う制御処理に、常用機としての蓄放熱ユニットを満遍なく切り換えて用いる常用機交替処理を加えれば、各ユニット及びその構成要素に対して、より均一な稼働を行わせることが出来、設備コストの削減にも寄与することとなる。
【００１８】
また、本発明による空気調和システムの構成ユニット、並びに各構成ユニットの構成要素については、故障停止時や、異常気象時であっても、前記運転管理手段によって、各々柔軟に適切な運転制御が行われ、長期に亘ってほぼ完全に非稼働となることは生じず、長期に亘る非常稼働によって機器の不調が発生することも回避出来ることとなる。よって、非常稼働時における正常稼働を高い確率で期待できる信頼性の高い空気調和システムを提供出来ることとなる。
【発明を実施するための最良の形態】
【００１９】
以下、本発明による空気調和システムの実施の形態を図面に基づき説明する。
図１に示す例は、熱媒体が循環する循環幹路１と、当該循環幹路１に並列に介在し前記熱媒体と外気との熱交換を行う三機の冷房ユニット２と、当該循環幹路１に並列に介在する一機の熱源ユニット３と、当該循環幹路１に並列に介在する二機の蓄放熱ユニット４と、前記熱源ユニット３及び各蓄放熱ユニット４の動作を制御する運転管理手段と、から構成されている。
【００２０】
前記循環幹路は、熱媒体往きヘッダ、熱媒体還りヘッダ、及びそれらの流通を制御する各種弁からなり、前記冷房ユニット２、熱源ユニット３、及び蓄放熱ユニット４を流通する熱媒体が集合して流通する管路である。
【００２１】
前記冷房ユニット２は、前記循環幹路１を循環する熱媒体が流通する冷房回路５と、当該冷房回路５へ熱媒体を流通させる循環ポンプ６と、当該冷房回路５に介在する熱交換機７と、当該冷房ユニット２の内部において前記冷房回路５の始点と終点をショートカットする当該冷房ユニット２の内部における熱媒体循環の回帰路８と、当該回帰路８への熱媒体の流通、及び前記循環幹路１への熱媒体の流通を開閉する各弁とから構成され、前記冷房温度となった熱媒体を、前記熱媒体往きヘッダを介して熱交換機７へ供給し、当該熱媒体が蒸発することで生じる蒸発潜熱により躯体内空間の冷房を行うものである。
【００２２】
前記熱源ユニット３は、前記循環幹路１を循環する熱媒体が流通する放冷回路９と、当該放冷回路９へ熱媒体を流通させる循環ポンプ１０と、前記放冷回路９に介在し電力を用いて前記熱媒体を５℃前後の冷房温度とする放冷運転を行う熱源機１１と、当該熱源ユニット３の内部において前記放冷回路９の始点と終点をショートカットする当該熱源ユニット３の内部における熱媒体循環の回帰路１２と、当該回帰路１２への熱媒体の流通回路を開閉する回帰制御弁１３、及び前記循環幹路１への熱媒体の流通回路を開閉する送出制御弁１４とから構成される。尚、当該例では、前記熱源ユニット３の熱源機１１として、インバーターターボ冷凍機を用いている。
【００２３】
前記蓄放熱ユニット４は、前記循環幹路１を循環する熱媒体が流通する蓄放熱回路１５と、当該蓄放熱回路１５へ熱媒体を流通させる循環ポンプ１６と、前記蓄放熱回路１５に介在し前記熱媒体と氷結材との熱交換を行う二機の氷蓄熱槽１７と、前記蓄放熱回路１５に介在し電力を用いて前記熱媒体を零下５℃前後の製氷温度とする製氷運転及び電力を用いて前記熱媒体を前記冷房温度とする放冷運転を行う一機の熱源機１８と、当該蓄放熱ユニット４の内部において前記蓄放熱回路１５の始点と終点をショートカットする当該蓄放熱ユニット４の内部における熱媒体循環の回帰路１９と、前記蓄放熱回路１５において熱媒体を前記熱源機１８へ誘導する第一放冷回路２６と、当該第一放冷回路２６の始終端間をショートカットするバイパス路２２と、前記蓄放熱回路１５において熱媒体を前記氷蓄熱槽１７を回避して前記回帰路１９の始端部へ誘導する第二放冷回路２７と、当該回帰路１９への熱媒体の流通回路を開閉する回帰制御弁２０、前記第一放冷回路２６を開閉する第一放冷制御弁２１、前記パイパス路２２を開閉する第二蓄放熱制御弁２３、前記第二放冷回路２７を開閉する第二放冷制御弁２８、当該蓄放熱回路１５において熱媒体を前記氷蓄熱槽１７へ誘導する回路を開閉する第一蓄放熱制御弁２４、及び前記循環幹路１への熱媒体の流通回路を開閉する送出制御弁２５とから構成される。
【００２４】
尚、当該例では、前記熱源ユニット３の熱源機１１としてはインバーターターボ冷凍機を用い、前記蓄放熱ユニットの熱源機１８としてはターボ冷凍機を用いている（以下、それぞれ、インバーターターボ冷凍機１１、並びにターボ冷凍機１８と記す。）。前記氷蓄熱槽１７は、当該氷結材が封入された球状の氷結カプセルが充填してある槽本体に前記蓄放熱回路１５を接続したものである。当該蓄放熱回路１５を循環する熱媒体を、付属の膨張弁を通して前記槽本体内に流通させることで、当該槽本体内を流通する熱媒体と、前記氷結カプセルとの間で熱交換を行うことにより、製氷及び解氷による蓄熱及び放熱が行われる。
【００２５】
前記運転管理手段は、例えば、制御棟等に操作盤等を具備したメイン装置を設置され、付属モジュールとして設備の各所に適宜備え付けられたＣＰＵ、記憶装置、入出力ポート、及びそれら入出力ポートとセンサ、或いは前記空気調和システムの各構成要素を駆動する各種アクチュエータに接続するインターフェースからなるコンピュータシステムであって、通常製氷モード、通常冷房モード、非常冷房モード、並びに非常冷房過渡モードを含む制御を、前記記憶装置内に書き込まれたシステム制御プログラムに基づいて行うものである。
【００２６】
前記通常製氷モードは、通常夜間に行われ、前記二機の蓄放熱ユニット４の前記ターボ冷凍機１８に前記製氷運転を行わせると共に、当該蓄放熱ユニット４の前記蓄放熱回路１５を当該蓄放熱ユニット４の氷蓄熱槽１７へ前記循環ポンプ１６により通常量流通させるものである（図７参照）。
【００２７】
当該例では、前記運転管理手段は、前記インターフェースを通じて、前記二機の蓄放熱ユニット４の前記ターボ冷凍機１８に前記製氷運転を行わせると共に、前記両蓄放熱ユニット４の前記回帰制御弁２０、第一放冷制御弁２１、及び第一蓄放熱制御弁２４を開放し、前記第一放冷制御弁２１、及び第二蓄放熱制御弁２３を閉鎖し、前記送出制御弁２５を微開放又は閉鎖する制御司令を出力し、前記蓄放熱回路１５に流れる熱媒体を、前記第二放冷回路２７へは通さず前記第一放冷回路２６を通して、当該蓄放熱ユニット４の氷蓄熱槽１７へ前記循環ポンプ１６により通常量流通させるものである。
【００２８】
これらの司令を受けた前記蓄放熱ユニット４では、前記氷蓄熱槽１７に充填された氷結カプセル内の氷結材が凍り、負の熱エネルギーを氷として蓄える形態の蓄熱が行われる。尚、前記熱源ユニット３は、気候に応じて適宜運転する。
【００２９】
前記通常冷房モードは、前記熱源ユニット３の前記インバーターターボ冷凍機１１に前記放冷運転を行わせると共に、前記二機の蓄放熱ユニット４のターボ冷凍機１８を停止させ、当該二機の蓄放熱ユニット４の前記蓄放熱回路１５を当該蓄放熱ユニット４の氷蓄熱槽１７へ前記循環ポンプ１６により通常量流通させることにより放熱運転を行わせ冷房空調を行うものである（図３及び図４（Ａ）参照）。
【００３０】
当該例では、前記運転管理手段は、前記インターフェースを通じて、当該熱源ユニット３のインバーターターボ冷凍機１１を含む放冷回路９と、前記循環幹路とを繋ぐ送出制御弁１４を開く制御司令を出力すると共に、当該放冷回路９に含まれる回帰路の回帰制御弁１３を閉じ、当該熱源ユニット３の前記インバーターターボ冷凍機１１に放冷運転を行わせる制御司令を出力する（図１熱源ユニット参照）。
【００３１】
また、各蓄放熱ユニット４に対しては、それらの前記ターボ冷凍機１８を停止させると共に、各蓄放熱ユニット４のターボ冷凍機１８へ熱媒体を供給する第一放冷回路２６の第一放冷制御弁２１を閉じ、且つ前記第二蓄放熱制御弁２３を開放する。更に、各蓄放熱ユニット４の前記氷蓄熱槽１７へ通じる回路の第一蓄放熱制御弁２４を開放し、前記第二放冷回路２７の第二放冷制御弁２８、及び前記回帰路１９の回帰制御弁２０を閉鎖し、送出制御弁２５を開ける制御司令を出力する（図１蓄放熱ユニット（Ａ）参照）。
【００３２】
これらの司令を受けた前記熱源ユニットでは、前記運転管理手段が、前記循環ポンプ１０に熱媒体送出司令を出力することによって、約６００冷凍トンの出力を以て約５℃の冷房温度となった熱媒体を生成し、前記インバーターターボ冷凍機１１の放冷運転により冷却された熱媒体を、前記熱媒体往きヘッダへ前記循環ポンプ１０により送出する。一方で、各蓄放熱ユニット４では、各々の氷蓄熱槽１７へ各々の循環ポンプ１６により、それぞれ約３００冷凍トンの通常量を流通させ、前記氷蓄熱槽１７の放熱運転により冷却された熱媒体を往きヘッダへその循環ポンプ１６により送出する。これらによって、当該通常冷房モードでは、熱の総出力として約１２００冷凍トンの冷房運転が行われることとなる。
【００３３】
前記非常冷房過渡モードの第一の例（以下、第一非常冷房過渡モードと記す。）は、上記通常冷房モードにおいて放冷運転が行われた前記熱源ユニット３の故障停止を受けて、前記蓄放熱ユニット４のうちの予備蓄放熱ユニット４の前記熱源機にウォーミングアップたる初動運転を行わせると共に、当該予備蓄放熱ユニット４及びもう一方の蓄放熱ユニット４の前記蓄放熱回路１５をそれら蓄放熱ユニット４の氷蓄熱槽１７へ前記循環ポンプ１６により各々増量流通させるものである（図３参照）。
【００３４】
当該例では、前記運転管理手段は、前記故障停止した熱源ユニット３に付設された故障検出センサから前記インターフェースを通じて故障停止フラグを受け、前記インターフェースを通じて、前記二機の蓄放熱ユニット４のうちの一つを予備蓄放熱ユニット４として、その熱源機たる前記ターボ冷凍機１８に通じる第一放冷回路２６の第一放冷制御弁２１を開放すると共に、前記第二蓄放熱制御弁２３を閉鎖し、当該ターボ冷凍機１８に初動運転を行わせる制御司令を出力する。また、もう一方の蓄放熱ユニット４に対しては、その熱源機たる前記ターボ冷凍機１８に通じる第一放冷回路２６の第一放冷制御弁２１を閉鎖すると共に、前記第二蓄放熱制御弁２３を開放する制御司令を出力する。
【００３５】
そして、更に、当該予備蓄放熱ユニット４及びもう一方の蓄放熱ユニット４の双方について、前記第二放冷回路２７の第二放冷制御弁２８を閉じると共に、前記氷蓄熱槽１７へ通じる回路の第一蓄放熱制御弁２４を大きめに開け、両蓄放熱ユニット４の蓄放熱回路１５の前記熱媒体往きヘッダへ繋がる回路の送出制御弁２５を開放し、両蓄放熱ユニット４の回帰制御弁２０を閉鎖する制御司令を出力する。
【００３６】
当該司令を受けた双方の蓄放熱ユニット４では、前記運転管理手段が、前記循環ポンプ１６に熱媒体送出司令を出力することによって、各蓄放熱ユニット４の氷蓄熱槽１７へ、それぞれ約６００冷凍トンに倍増した熱媒体が各々の循環ポンプ１６により流通すると共に、前記氷蓄熱槽１７の放熱により冷却された熱媒体が、前記熱媒体往きヘッダへ前記循環ポンプ１６により送出する。これらにより、当該第一非常冷房過渡モードにおいても、前記通常冷房モードの冷房能力たる約１２００冷凍トンの総出力が確保できる。
【００３７】
前記非常冷房モードの第一の例（以下、第一非常冷房モードと記す。）は、前記通常冷房モードにおいて放冷運転が行われた前記熱源ユニット３の故障停止、並びに前記予備蓄放熱ユニット４の前記ターボ冷凍機１８の前記初動運転が終了し、放冷運転が開始したことを受けて、前記予備蓄放熱ユニット４の前記氷蓄熱槽１７への前記蓄放熱回路１５の流通を遮断すると共に、当該予備蓄放熱ユニット４を除く前記蓄放熱ユニット４の前記蓄放熱回路１５をその蓄放熱ユニット４の氷蓄熱槽１７へ前記循環ポンプ１６により通常量流通させるものである（図３及び図５（Ａ）参照）。
【００３８】
当該例では、前記運転管理手段は、前記予備蓄放熱ユニット４に対しては、タイマー等の出力により、その熱源機たるターボ冷凍機１８について十分な初動運転が行われた旨のフラグを受けて、当該ターボ冷凍機１８に通じる前記第一放冷回路２６の第一放冷制御弁２１を開放すると共に、前記第二蓄放熱制御弁２３を閉鎖し、当該ターボ冷凍機１８に対し、前記初動運転から放冷運転に移行する制御司令をインターフェースを介して出力すると共に、当該予備蓄放熱ユニット４の、前記氷蓄熱槽１７へ通じる回路の第一蓄放熱制御弁２４を閉鎖すると共に、前記第二放冷回路２７の第二放冷制御弁２８を開放する放冷運転の制御司令を出力する（図１蓄放熱ユニット（Ｂ）参照）。
【００３９】
もう一方の蓄放熱ユニット４に対しては、その熱源機たる前記ターボ冷凍機１８に通じる第一放冷回路２６の第一放冷制御弁２１を閉鎖すると共に、前記第二蓄放熱制御弁２３を開放し、当該蓄放熱ユニット４における前記第二放冷回路２７の第二放冷制御弁２８を閉鎖すると共に、氷蓄熱槽１７へ通じる回路の第一蓄放熱制御弁２４を通常の開放状態に戻す制御司令を出力する。更に、前記回帰制御弁２０を閉鎖し、両蓄放熱ユニット４の蓄放熱回路１５の前記熱媒体往きヘッダへ繋がる回路の送出制御弁２５を開放する放熱運転の制御司令を出力する（図１蓄放熱ユニット（Ａ）参照）。
【００４０】
当該司令を受けた双方の蓄放熱ユニット４では、前記運転管理手段が、前記循環ポンプ１６に熱媒体送出司令を出力することによって、前記予備蓄放熱ユニット４にあっては、当該予備蓄放熱ユニット４の氷蓄熱槽１７への熱媒体の流通が遮断されるものの、その熱源機たるターボ冷凍機１８による放冷運転で約９００冷凍トンの熱媒体が生成される。
【００４１】
また、もう一方の蓄放熱ユニット４にあっては、通常の流通量である約３００冷凍トンの熱媒体が当該蓄放熱ユニット４における氷蓄熱槽１７の放熱運転によって生成される。これら、前記予備蓄放熱ユニット４のターボ冷凍機１８による放冷運転、及びもう一方の蓄放熱ユニット４の氷蓄熱槽１７の放熱運転により冷却された熱媒体が、前記熱媒体往きヘッダへ、各蓄放熱ユニットの前記循環ポンプ１６により送出される。これらにより、当該第一非常冷房モードにおいても、前記通常冷房モードの冷房能力たる約１２００冷凍トンの総出力が確保できる。
【００４２】
以上は、前記熱源ユニットが故障停止した場合の処理を挙げたものであるが、前記蓄放熱ユニット４のいずれかが故障する場合もある。以下、その様な場合の、運転管理手段による、非常冷房過渡モード（以下、第二非常冷房過渡モードと記す。）、及び非常冷房モード（以下、第二非常冷房モードと記す。）の処理を説明する。
【００４３】
前記第二非常冷房過渡モードは、前記蓄放熱ユニット４のいずれかの故障停止を受けて、他の蓄放熱ユニット４のうちの予備蓄放熱ユニット４の前記熱源機に初動運転を行わせると共に、当該予備蓄放熱ユニット４の前記蓄放熱回路１５を当該予備蓄放熱ユニット４の氷蓄熱槽１７へ前記循環ポンプ１６により増量流通させ、前記熱源ユニット３の前記熱源機に前記放冷運転を行わせる制御を行うものである（図３参照）。
【００４４】
当該例では、前記運転管理手段は、前記熱源ユニット３に対しては通常モードと同様の運転指令を出力する一方で、当該運転管理手段は、故障検出センサから前記インターフェースを通じて前記通常冷房モードにおいて放冷運転が行われたいずれかの蓄放熱ユニット４の故障停止を受け、前記インターフェースを通じて、前記二機の蓄放熱ユニット４のうちの故障停止していない蓄放熱ユニット４を予備蓄放熱ユニット４として認識する。
【００４５】
そして、前記運転管理手段は、当該予備蓄放熱ユニット４の熱源機たる前記ターボ冷凍機１８に通じる第一放冷回路２６の第一放冷制御弁２１を開放すると共に、前記第二蓄放熱制御弁２３を閉鎖し、当該ターボ冷凍機１８に初動運転を行わせる制御司令を出力する。更に、当該予備蓄放熱ユニット４及びもう一方の蓄放熱ユニット４については、前記第二放冷回路２７の第二放冷制御弁２８を閉鎖すると共に、前記氷蓄熱槽１７へ通じる回路の第一蓄放熱制御弁２４を大きめに開け、両蓄放熱ユニット４の蓄放熱回路１５の前記熱媒体往きヘッダへ繋がる回路の送出制御弁２５を開放し、両蓄放熱ユニット４の回帰制御弁２０を閉鎖する制御司令を出力する。
【００４６】
また、故障停止した蓄放熱ユニット４に対しては、その熱源機たる前記ターボ冷凍機１８に通じる第一放冷回路２６の第一放冷制御弁２１を閉鎖すると共に、前記第二蓄放熱制御弁２３を開放する制御司令を出力する。更に、前記氷蓄熱槽１７へ通じる回路の第一蓄放熱制御弁２４を閉鎖すると共に、前記第二放冷回路２７の第二放冷制御弁２８を開放し、且つ両蓄放熱ユニット４の蓄放熱回路１５の前記熱媒体往きヘッダへ繋がる回路の送出制御弁２５を閉鎖し、両蓄放熱ユニット４の回帰制御弁２０を開放する制御司令を出力する。
【００４７】
上記司令を受けて、前記熱源ユニット３での運転は通常通り約６００冷凍トンの出力で行われ、当該司令を受けた予備蓄放熱ユニット４では、前記運転管理手段が、前記循環ポンプ１６に熱媒体送出司令を出力することによって、当該予備蓄放熱ユニット４の氷蓄熱槽１７へ、約６００冷凍トンに倍増した熱媒体が前記循環ポンプ１６により流通すると共に、前記氷蓄熱槽１７の放熱により冷却された熱媒体が、前記熱媒体往きヘッダへ当該循環ポンプ１６により送出される。これらにより、当該非常冷房過渡モードにおいても、前記通常冷房モードの冷房能力たる約１２００冷凍トンの総出力が確保できる。
【００４８】
前記第二非常冷房モードは、前記通常冷房モードにおいて放冷運転が行われた前記蓄放熱ユニット４の故障停止、並びに前記予備蓄放熱ユニット４の前記熱源機たるターボ冷凍機１８の前記初動運転が終了し、放冷運転が開始したことを受けて、前記予備蓄放熱ユニット４の前記氷蓄熱槽１７への前記蓄放熱回路１５の流通を遮断すると共に、当該予備蓄放熱ユニット４を除く蓄放熱ユニット４の前記蓄放熱回路１５をその蓄放熱ユニット４の氷蓄熱槽１７へ前記循環ポンプ１６により通常量流通させるものである（図３及び図５（Ｂ）参照）。
【００４９】
当該例では、前記運転管理手段は、前記熱源ユニット３に対しては通常モードの半分に相当する出力での運転指令を出力する（図１熱源ユニット参照）一方で、前記予備蓄放熱ユニット４に対しては、タイマー等の出力により、その熱源機たるターボ冷凍機１８について十分な初動運転が行われた旨のフラグを受けて、当該ターボ冷凍機１８に通じる第一放冷回路２６の第一放冷制御弁２１を開放すると共に、前記第二蓄放熱制御弁２３を閉鎖し、当該ターボ冷凍機１８に対し、前記初動運転から放冷運転に移行する制御司令をインターフェースを介して出力する。更に、前記第二放冷回路２７の第二放冷制御弁２８を開放すると共に、前記予備蓄放熱ユニット４の前記氷蓄熱槽１７へ通じる回路の第一蓄放熱制御弁２４を閉鎖し、更に、前記回帰制御弁２０を閉鎖し、両蓄放熱ユニット４の蓄放熱回路１５の前記熱媒体往きヘッダへ繋がる回路の送出制御弁２５を開放する放冷運転の制御司令を出力する（図１蓄放熱ユニット（Ｂ）参照）。
【００５０】
一方、故障停止した蓄放熱ユニット４に対しては、前記運転管理手段は、その熱源機たる前記ターボ冷凍機１８に通じる第一放冷回路２６の第一放冷制御弁２１を閉鎖すると共に、前記第二蓄放熱制御弁２３を開放し、当該蓄放熱ユニット４における氷蓄熱槽１７へ通じる回路の第一蓄放熱制御弁２４を閉鎖する制御司令を出力すると共に、前記第二放冷回路２７の第二放冷制御弁２８を開放する制御司令を出力する。更に、前記運転管理手段は、当該蓄放熱ユニット４の前記回帰制御弁２０を開放し、両蓄放熱ユニット４の蓄放熱回路１５の前記熱媒体往きヘッダへ繋がる回路の送出制御弁２５を閉鎖する制御司令を出力する。
【００５１】
上記司令を受けて、両予備蓄放熱ユニット４の氷蓄熱槽１７への熱媒体の流通が遮断され、当該氷蓄熱槽１７による放熱運転が停止する一方、前記熱源ユニット３での運転は通常の半分である約３００冷凍トンの出力で行われ、当該司令を受けた前記予備蓄放熱ユニット４では、前記運転管理手段が、前記循環ポンプ１６に熱媒体送出司令を出力することによって、当該予備蓄放熱ユニット４の熱源機たるターボ冷凍機１８による放冷運転で約９００冷凍トンの熱媒体が生成される。前記ターボ冷凍機１８による放冷運転により冷却された熱媒体が、前記熱媒体往きヘッダへ前記循環ポンプ１６により送出される。これらにより、当該非常冷房モードにおいても、前記通常冷房モードの冷房能力たる約１２００冷凍トンの総出力が確保できる。
【００５２】
尚、本発明による空気調和システムは、図２に示す様に、熱媒体が循環する循環幹路１と、当該循環幹路１に並列に介在し前記熱媒体と外気との熱交換を行う三機の冷房ユニット２と、当該循環幹路１に並列に介在する三機の蓄放熱ユニット４と、各蓄放熱ユニット４の動作を制御する運転管理手段とから構成することも可能であり、その場合の前記運転管理手段の制御は、例えば、前記第一非常冷房過渡モード及び第一非常冷房モードにおける熱源ユニットの故障停止時の制御に、前記第二非常冷房過渡モード及び第二非常冷房モードにおける蓄放熱ユニットの故障停止時の制御を当てはめた形となる。
【００５３】
先に記した例は、前記循環幹路１と各蓄放熱回路１５とを直結し、共通の熱媒体をシステム全体に流通させる形態を採った例であるが、前記循環幹路１と各蓄放熱ユニット４の蓄放熱回路１５、或いは前記熱源ユニット３の放冷回路９と各蓄放熱ユニット４の蓄放熱回路１５とを分離し、双方の熱媒体流通路の間に相互に熱交換を行う為の熱交換機２９を介在した空気調和システムとすることもできる（図８参照）。
【００５４】
当該構成を採ることによって、製氷温度に達する熱媒体流通路と、冷房温度程度の温度に止まる熱媒体の流通路が分離できるので、前記冷房ユニット２へ循環する熱媒体の過冷却を心配することなく、的確な時期に、より積極的な製氷運転を行う事が可能となる。尚、当該蓄放熱回路をセパレートした例の場合には、製氷温度に達しない熱媒体流通路を流れる熱媒体として、真水等の不凍液以外の熱媒体を用いることも出来る。
【産業上の利用可能性】
【００５５】
本発明による空気調和システムは、例えば、上記実施の形態のごとく、本願特徴とするシステム制御によって、２００冷凍トンから２４００冷凍トン（図６参照）に至る範囲の出力を任意に引き出すことができるので、工場やビルなどの大規模な空気調和システムとして高い信頼性を以て採用することができる。
【図面の簡単な説明】
【００５６】
【図１】本発明による空気調和システムの一例を示した回路図である。
【図２】本発明による空気調和システムの一例を示した回路図である。
【図３】本発明による空気調和システムの各運転モードにおける主要構成要素の主な運転内容を示した表である。
【図４】本発明による空気調和システムの稼働状況の一例を簡略化して示したブロック図である。
【図５】本発明による空気調和システムの稼働状況の一例を簡略化して示したブロック図である。
【図６】本発明による空気調和システムの稼働状況の一例を簡略化して示したブロック図である。
【図７】本発明による空気調和システムの通常製氷モードにおける回路状態を例示した回路図である。
【図８】本発明による空気調和システムの他の例を示した回路図である。
【符号の説明】
【００５７】
１  循環幹路，２  冷房ユニット，３  熱源ユニット，４  蓄放熱ユニット，
５  冷房回路，６  循環ポンプ，７  熱交換機，８  回帰路，
９  放冷回路，１０  循環ポンプ，１１  熱源機，１２  回帰路，
１３  回帰制御弁，１４  送出制御弁，
１５  蓄放熱回路，１６  循環ポンプ，１７  氷蓄熱槽，１８  熱源機，
１９  回帰路，２０  回帰制御弁，２１  第一放冷制御弁，２２  バイパス路，
２３  第二蓄放熱制御弁，２４  第一蓄放熱制御弁，２５  送出制御弁，
２６  第一放冷回路，２７  第二放冷回路，２８  第二放冷制御弁，
２９  熱交換機，
【図４】
2006010168.tif 000003
【図５】
2006010168.tif 000004
【図６】
2006010168.tif 000005
【図１】
2006010168.tif 000006
【図２】
2006010168.tif 000007
【図３】
2006010168.tif 000008
【図７】
2006010168.tif 000009
【図８】
2006010168.tif 000010